(57)【要約】【課題】  透過光の角度分布を変化させることが可能な視角制御素子と、その透過光を利用して表示を行う表示素子を備えた表示装置において、視角制御素子により視角を切り替えた場合に、切り替えに伴う表示の明暗差により表示が見難くなることを防止する。【解決手段】  視角制御素子１０は、内面に透光性電極５、７が形成された一対の透光性基板４、６と、当該一対の透光性基板４、６の間隙に挟持された液晶層９と、一対の透光性基板４、６の間隙に分散して挟持され、当該基板の面内において略一方向に配向する針状フィラー８とを備え、液晶層９に与えられる電圧の変化に応じて、透過光の角度分布が変化する表示装置１とした。【選択図】  図１
2008203446.tif 000002
【特許請求の範囲】
【請求項１】
透過光の角度分布を変化させることが可能な視角制御素子と、前記透過光を利用して表示を行う表示素子とが積層して配置された表示装置であって、
前記視角制御素子は、内面に透光性電極が形成された一対の透光性基板と、前記一対の透光性基板の間隙に挟持された液晶層と、前記一対の透光性基板の間隙に分散して挟持され、前記基板の面内において略一方向に配向する針状フィラーとを備え、
前記液晶層に与えられる電圧の変化に応じて、前記透過光の角度分布が変化することを特徴とする表示装置。
【請求項２】
前記液晶層は、高分子分散型の液晶層であることを特徴とする請求項１に記載の表示装置。
【請求項３】
前記透過光は、前記略一方向よりも前記略一方向に直交する方向における角度分布の変化のほうが小さいことを特徴とする請求項１又は請求項２に記載の表示装置。
【請求項４】
前記略一方向は、前記表示の視認方向から見て略９時３時方向であることを特徴とする請求項１〜３のいずれか１項に記載の表示装置。
【請求項５】
前記視角制御素子を駆動するための視角制御回路と、前記表示素子の表示輝度を制御するための輝度制御回路とを更に備え、
前記視角制御回路により前記視角制御素子に与えられる電圧の変化に応じて、前記輝度制御回路により前記表示素子の表示輝度が制御されることを特徴とする請求項１〜４のいずれか１項に記載の表示装置。
【発明の詳細な説明】
【技術分野】
【０００１】
表示された文字、図形等の見える視角を変更することが可能な表示装置に関する。
【背景技術】
【０００２】
近年、携帯電話等の携帯機器に液晶表示装置等の表示装置が広く使用されている。この種の表示装置は、混雑する車内等で使用される機会が多い。このような、周囲に他人が大勢いるような場所で携帯機器を操作して機密情報や個人情報等他人に知られたくない内容の表示を行う場合がある。その場合、操作者は表示情報を読み取ることができ、周囲の人からは表示情報が読み取ることができないように、表示状態を切り替えることができれば便利である。
【０００３】
この種の表示装置として、表示装置の前後に視角制御素子を付加するものが知られている（例えば特許文献１を参照）。図７は、液晶表示素子５０に視角制御素子５１を付加した液晶表示装置の断面模式図である。光源５７と導光板５２からなる面光源と、液晶表示素子５０との間に視角制御素子５１が挿入されている。視角制御素子５１は高分子分散型液晶から構成されており（例えば特許文献２を参照）、内面に透明電極が形成された図示しない一対の透明基板間に、透明性固体物質５４と、この透明性固体物質５４中に分散した液晶小滴５３が挟持されている。
【０００４】
図７は、視角制御素子５１に電圧が印加されていない状態を表しており、液晶小滴５３内の液晶分子はランダムな方向を向いている。光源５７からの光を入射した導光板５２は、その出射面に対してほぼ垂直な指向性を有する略平行光５６を出射する。略平行光５６を入射した視角制御素子５１は、ランダムな方向を向いている液晶小滴５３内の液晶分子のドメイン境界と、液晶小滴５３と透明性固体物質５４との境界において光を散乱する。そのため、視角制御素子５１から出射される透過光５５の指向性は減少して液晶表示素子５０に入射される。液晶表示素子５０には斜め方向の光が入射するので、液晶表示素子５０に表示された文字、画像等は斜め方向からも視認することができる。
【０００５】
図８は、視角制御素子５１に電圧が印加された状態を表している。視角制御素子５１の液晶分子は電界方向に配向する。その結果、液晶小滴５３内のドメインが消失し、液晶小滴５３と透明性固体物質５４との間の界面における光散乱も減少する。そのために、導光板５２から出射された指向性を有する略平行光５６は、視角制御素子５１では散乱されず、指向性の高い透過光５５が液晶表示素子５０に入射される。その結果、液晶表示素子５０に表示された文字、画像等は斜め方向からは視認し難く、表示面に垂直方向からは視認することができる。このようにして、液晶表示素子５０から出射される表示光５９の視角を制御することができる。
【０００６】
図９（ａ）は、視角制御素子５１に電界を印加したときと印加しないときに視角制御素子５１から出射される光の指向性を比較したグラフである。液晶表示素子５０の表示面を時計の文字盤に見立てている。９時３時方向及び１２時６時方向の目盛りは表示面に対する垂線からの倒れ角を表す。中心から離れるに従い倒れ角が大きくなる。即ち、より傾斜角が大きくなる。各グラフは、電界無印加時及び電界印加時のそれぞれにおいて、透過光５５の最大透過光強度を示す角度における透過光強度を１００％として、例えば透過光強度８０％の点を結んだ一定強度の曲線である。グラフＷａは電界無印加時、グラフＷｂは電界印加時の各視角特性を示している。図９（ａ）から明らかに、電界無印加時の視角特性が広く、電界印加時の視角特性は狭い。また、いずれも円周方向に均等な分布を有する。
【０００７】
図９（ｂ）は、視角制御素子５１に電界を印加したときと印加しないときに視角制御素子５１から出射される透過光５５の強度分布を比較したグラフである。横軸が９時３時方向を表し、縦軸が透過光強度を表す。グラフＩａが電界無印加時の透過光特性、グラフＩｂが電界印加時の透過光特性をそれぞれ示す。図から明らかに、電界無印加時は透過光５５が斜め方向に拡散されて光強度が弱い。これに対して、電界印加時は指向性が高く、垂直方向の光強度が高くなる。なお破線Ｘａが電界無印加時の最大透過光強度に対する透過光強度８０％を示し、図９（ａ）のグラフＷａに対応する。同様に破線Ｘｂが電界印加時の最大透過光強度に対する透過光強度８０％を示し、図９（ａ）のグラフＷｂに対応する。
【特許文献１】特開２００５−２６５９２０号公報
【特許文献２】特開２００２−２６８０５０号公報
【発明の開示】
【発明が解決しようとする課題】
【０００８】
しかし、上記図９（ａ）及び図９（ｂ）にも示されるように、視角制御素子５１に電圧を印加しないときは、透過光５５は斜め方向に等方的に出射されるが、透過光５５の強度が低下する。そのため、表示全体が暗くなる、という課題があった。また、視角制御素子５１に電圧を印加したときに視角範囲の狭い透過光５５が液晶表示素子５０に照射されて、表示面に向かって上下方向や左右方向の明暗差により液晶表示素子５０に表示された文字、図形等が視認し難くなる、という課題があった。
【課題を解決するための手段】
【０００９】
本発明は、上記の課題を解決するために、透過光の角度分布を変化させることが可能な視角制御素子と、前記透過光を利用して表示を行う表示素子とが積層して配置された表示装置であって、前記視角制御素子は、内面に透光性電極が形成された一対の透光性基板と、前記一対の透光性基板の間隙に挟持された高分子分散型の液晶層と、前記一対の透光性基板の間隙に分散して挟持され、前記基板の面内において略一方向に配向する針状フィラーとを備え、前記液晶層に与えられる電圧の変化に応じて、前記透過光の角度分布が変化することを特徴とする表示装置とした。
【００１０】
また、前記液晶層は、高分子分散型の液晶層である表示装置とした。
【００１１】
また、前記透過光は、前記略一方向よりも前記略一方向に直交する方向における角度分布の変化のほうが小さくなる表示装置とした。
【００１２】
また、前記略一方向は、前記表示の視認方向から見て略９時３時方向である表示装置とした。
【００１３】
また、前記視角制御素子を駆動するための視角制御回路と、前記表示素子の表示輝度を制御するための輝度制御回路とを更に備え、前記視角制御回路により前記視角制御素子に与えられる電圧の変化に応じて、前記輝度制御回路により前記表示素子の表示輝度が制御される表示装置とした。
【発明の効果】
【００１４】
本発明においては、視角制御素子と表示素子とを積層した表示装置であり、視角制御素子は、内面に透光性電極を形成した一対の透光性基板と、この基板間に挟持された高分子分散型の液晶層と、この基板間に分散して挟持され、基板面内において略一方向に配向する針状フィラーとを備え、上記電極間に電圧を印加して視角制御素子を透過する透過光の角度分布を制御するようにした。これにより、表示の視野角を変化させる前後において、表示の明度差を縮小させ、かつ、狭視角状態としたときに特定方向に対して光強度を低下させ、他の方向に対しては光強度が低下しないようにして表示を見やすくすることができる、という利点を有する。
【発明を実施するための最良の形態】
【００１５】
＜実施例１＞
図１は、本発明による表示装置１の実施例１を表す斜視図である。表示パネル２と面光源３とから表示素子が構成される。表示パネル２と面光源３との間に視角制御素子１０が挿入されている。視角制御素子１０は、内面に透光性電極５、７が形成された一対の透光性基板４、６と、これらの基板間に挟持される針状フィラー８と液晶層９とから構成されている。針状フィラー８は基板面内において略一方向に配向している。本実施例において針状フィラー８はその長軸が９時３時方向に配向している。
【００１６】
透光性電極５、７には電源１１からスイッチＳを介して電圧が供給できるように接続されている。スイッチＳをオフにして液晶層９に電界を印加しない状態においては、液晶分子１２の配向方向が揃っていない。液晶分子１２はドメインを構成し、その界面において光が散乱される。その結果、視角制御素子１０を透過する透過光はいずれの方向にも散乱され、表示パネル２に表示された表示はいずれの方向からも視認することができる。スイッチＳをオンにして液晶層９に電界を印加すると、液晶層９の液晶分子１２は電界方向に揃う。その結果、液晶層９において液晶分子１２によるドメインが消失し、液晶による散乱状態は解消される。しかし、針状フィラー８は９時３時方向に配向している。針状フィラー８と液晶層９との屈折率差によりその界面において光が散乱される。この散乱光は針状フィラー８に直行する方向、即ち１２時６時方向により強く散乱される。その結果、表示パネル２上の表示の視野角は１２時６時方向が広く、９時３時方向は狭くなる。即ち、９時３時方向から表示が視認し難くなる。
【００１７】
このように、スイッチＳをオン、オフする視角制御によって、針状フィラー８の配向方向に直行する１２時６時方向の透過光の角度分布の変化よりも、針状フィラー８の配向方向である９時３時方向の角度分布の変化を大きくすることができる。そして、針状フィラー８を形成しない視角制御素子によって視角制御を行う場合と比較して、スイッチＳをオンして表示の視角を狭くした状態と、スイッチＳをオフして表示の視角を広くした状態との間の表示の明度差を縮小させることができるとともに、狭視角状態における視角の狭い方向が特定方向のみであるために、表示の視認性を改善させることができた。
【００１８】
本実施例１において、視角制御素子１０の透光性基板４、６として、ガラス基板や透明プラスチック基板を使用する。透光性電極５、７はＩＴＯ（インジウム・スズ酸化物）をスパッタリング法により形成した。ＩＴＯの他に、ＳｎＯ２、ＺｎＯ２、Ｉｎ２Ｏ３又はこれらの混合物をスパッター法や電子ビーム蒸着法により形成することができる。透光性電極５、７は、透光性基板４、６の全面に形成した。針状フィラー８として、酸化チタン、酸化ケイ素、ガラス材等の透明又は白色材料を使用する。針状フィラー８は、液晶層９の屈折率とは異なる屈折率を有する。針状フィラー８は、短径に対して長径が極めて大きい形状を有する。短径は１〜２０μｍ、長径は１０〜５００μｍが好ましい。液晶の光拡散性を考慮すると、短径は５〜２０μｍが好ましい。針状フィラー８は、透光性基板４、６間の間隙を規定するスペーサとしても機能する。なお、すべての針状フィラー８が同一の方向に配向している必要はなく、平均して特定の方向に配向していれば足りる。
【００１９】
液晶層９を構成する液晶として、ネマティック液晶、スメクティック液晶、コレステリック液晶及びこれらの混合物、或いはＤＳＭ（ダイナミック・スキャッタリング・モード）液晶などを使用することができる。要するに、光の散乱状態と非散乱状態とを電界印加又は電流供給により切り替えることができればよい。また、例えば、液晶の小滴が透明性固体物質中に分散したネットワーク構造を有する高分子分散型の液晶を使用することができる。透明性固体物質として重合性組成物を使用し、液晶としてネマティック液晶、スメクティック液晶、コレステリック液晶等を使用することができる。液晶層に電界が印加されていないときは、小滴内の液晶はランダムな配向状態をとる。この状態は、液晶ドメイン間で屈折率差が生じて光を散乱すると共に、小滴と透明性固体物質との間の屈折率差によっても、光を散乱する。液晶層に電界が印加されると、小滴内の液晶は電界方向に配向して液晶ドメイン間の境界が消失し、屈折率差も消失する。その結果、小滴内の液晶は透明状態となる。また、液晶の常光屈折率と透明性固体物質の屈折率とを一致させておけば、電界印加時に液晶の小滴と透明固体物資との間の境界における屈折率差を消失させることができる。これにより、境界での光散乱も消失する。
【００２０】
表示素子として透過型の液晶表示素子を使用する。液晶表示素子は、ＴＮ型、ＳＴＮ型、横電界方式等のいずれの方式であってもよい。また、表示素子として反射型の液晶表示素子を使用することができる。この場合は、液晶表示素子の表示視認方向に視角制御素子を配置する。表示素子は液晶表示素子に限定されない。プラズマディスプレイ、ＥＬ表示素子、有機ＥＬ表示素子等、いずれの表示素子でも使用することができる。なお、プラズマディスプレイ等の自発光型の表示素子を使用する場合は、これら表示素子の視認方向前面に視角制御素子１０を設置する。
【００２１】
面光源３は、平面型の導光板とその側面から光を照射するための発光ダイオード等からなる光源により構成することができる。また、プリズムシート等からなる光学シートと光拡散板とを積層し、その下部にＥＬ発光素子や冷陰極管を設置して構成することができる。
【００２２】
本実施例１においては、透光性電極５、７を、表示パネル２の表示領域に対応する透光性基板４、６の内面全面に形成した。これを、透光性電極５、７をストライプ状の電極とし、透光性電極５と透光性電極７とが互いに直交するように形成してもよいし、表示領域の特定領域のみに形成してもよい。互いに直交するストライプ状電極とすれば、視角制御範囲の表示にモザイクパターンをかぶせることができる。
【００２３】
＜実施例２＞
図２及び図３は、高分子分散型の液晶層９を使用した表示装置の実施例２を表す模式的断面図であり、図２が液晶層９に電界を印加しない状態を表し、図３が液晶層９に電界を印加した状態を表す。同一の部分又は同一の機能を有する部分は同一の符号を付している。
【００２４】
図２において、視角制御素子１０は、内面に透光性電極５、７を形成した一対の透光性基板４、６の間に液晶層９と針状フィラー８が挟持されている。液晶層９は、透明性固体物質１４と液晶を内包する小滴１３とからなる。透明性固体物質１４は重合性組成部からなり、小滴１３は３次元ネットワーク構造を有する透明性固体物質１４内に分散している。小滴１３には正の誘電異方性を有するネマティック液晶が内包されている。針状フィラー８は、酸化チタンからなり、短径が５μｍ〜２０μｍ、長径が１０〜５００μｍの大きさを有する。針状フィラー８は、長軸が紙面に対して略垂直方向に配向されている。
【００２５】
表示パネル２は、透過型ＴＮ液晶パネルであり、偏光板等の記載は省略している。視角制御素子１０の表示パネル２とは反対側に導光板１５及び導光板１５に光を照射する光源１６が設置されている。導光板１５は視角制御素子１０の表面に垂直な略平行光２０を出射する。視角制御素子１０は略平行光２０を入射し、視角方向が制御された透過光２１を出射する。表示パネル２は透過光２１を入射し、文字、画像等に変調された表示光２２を出射する。表示パネル２、導光板１５及び光源１６により表示素子が構成されている。透光性電極５、７はスイッチＳを介して電源１１に電気的に接続されている。
【００２６】
図２では、スイッチＳがオフなので液晶層９には電界が印加されていない。透明性固体物質１４中に分散する小滴１３内の液晶分子はランダムな方向を向いている。導光板１５から入射した略平行光２０は、小滴１３内の液晶のドメイン境界や透明性固体物質１４と小滴１３との界面において散乱される。また、導光板１５から入射した略平行光２０は針状フィラー８によっても散乱される。針状フィラー８による散乱は、長軸方向に対するよりも短軸方向に対するほうがより強くなる。
【００２７】
図３では、スイッチＳがオンなので液晶層９に電界が印加される。すると、小滴１３の液晶分子は電界方向に向く。このため、液晶のドメインが消失すると共に、透明性固体物質１４と小滴１３との界面の、光の入射方向に対する屈折率差も消失する。その結果、入射した略平行光２０は、針状フィラー８による散乱が支配的となる。従って、針状フィラー８に平行な方向よりも、針状フィラー８に直行する方向により多くの光が散乱される。
【００２８】
図４（ａ）は、図２及び図３に示した視角制御素子１０から出射される透過光２１の視角特性を表す。図２及び図３に示す表示装置１は紙面左右方向が１２時６時方向であり、紙面の表裏方向が９時３時方向である。図４に示すグラフＷｘ、Ｗｙは、液晶層９に対して電界を印加しない電界無印加時と電界を印加した電界印加時の、視角制御素子１０から出射される透過光２１の指向性をそれぞれ表す。９時３時方向及び１２時６時方向の目盛りは、視角制御素子１０の基板表面に対する垂線からの倒れ角を表し、中心から周囲に向かうに従い倒れ角が大きい。なお目盛りは任意単位である。各グラフは、電界無印加時及び電界印加時のそれぞれにおいて、最大透過光強度を示す角度における光強度を１００％として、光強度８０％の点を結んだ等光強度曲線である。
【００２９】
図４（ａ）から、電界無印加時のグラフＷｘは円形状となり、視角制御素子１０から出射される透過光２１は円周方向においてほぼ均等な強度を有する。これに対して電界印加時のグラフＷｙは楕円形状となる。即ち、透過光２１は、１２時６時方向の視角範囲は広く、９時３時方向の視角範囲は狭い。その結果、表示パネル２に表示された文字、画像等は、９時３時方向からは見え難くなる。しかし１２時６時方向は視角範囲が広いので、表示パネル２から出射される表示光２２の明暗差が緩和される。そのため、表示の視認性が向上する。
【００３０】
図４（ｂ）は、図２及び図３に示した視角制御素子１０から出射される透過光２１の透過光強度分布を表す。表示装置１の方向は図４（ａ）で説明したとおりである。横軸が９時３時方向を表し、縦軸が視角制御素子１０から出射される透過光の強度を表し、任意単位である。グラフＩｘが液晶層９に電界無印加時、グラフＩｙが電界印加時の透過光強度特性をそれぞれ表す。図から明らかに、電界無印加時は透過光２１が斜め方向に拡散される。電界印加時は指向性が強く、垂直方向の透過光２１の強度が電界無印加時よりも大きくなる。しかし、視角制御素子１０に電圧を印加して横方向である９時３時方向の視角範囲を制限した場合であっても、１２時６時方向の視角範囲が十分広く、かつ、電界無印加時と同レベルの透過光強度特性を有する。これにより、表示パネル２に表示された文字、図形等を容易に視認することができる。
【００３１】
なお、上記説明において、視角範囲を制限する方向を９時３時方向としたが、これに限定されない。視角制御素子１０の針状フィラー８の配向方向を選定することにより、視角制限方向を任意の方向に設定することができる。また、表示パネル２としてＴＮ液晶表示パネルを使用し、ＴＮ液晶表示パネルの固有の視角方向と、視角制御素子１０の視角制限方向とを組み合わせることにより、表示光２２の視角範囲をより有効に設定することができる。
【００３２】
以上の説明において、特に説明していない構成要素や機能は実施例１と同様であり、ここでは説明を省略する。
【００３３】
次に、上記実施例１又は実施例２における視角制御素子１０の製造方法の一例を説明する。まず、一対のガラス等からなる透光性基板４、６を用意する。その基板表面に電子ビーム蒸着法又はスパッタリング法によりＩＴＯからなる透光性電極５、７を形成する。次に、一方の透光性基板４の透光性電極５が形成された表面に針状フィラー８を付着させる。針状フィラー８の付着はオフセット印刷法により行う。具体的には、針状フィラーをポリイミド液に分散させたポリイミド溶液を用意する。この溶液をロール状原版に塗布する。次に、この塗布されたポリイミドをロール状原版から円筒状ブランケットに転写し、更に円筒状ブランケットから透光性基板４に転写して印刷する。すると、円筒状ブランケットの回転方向に針状フィラー８の長軸が揃ったポリイミド膜が印刷される。次に、透光性基板４に紫外光を照射する、又は透光性基板を焼成することによりポリイミド膜を硬化させる。次に、いずれか一方の透光性基板６の透光性電極７が形成された面に、スクリーン印刷法等を用いて液晶層９を封入するためのシールを形成する。次に、もう一方の透光性基板４と透光性電極５が形成された面を対向して張り合わせ、シールを硬化させる。次に、小滴１３が分散された透明性固体物質１４を２枚の透光性基板４、６の間隙に封入し、高分子分散型の液晶層９を形成する。
【００３４】
なお、針状フィラー８を透光性基板に付着させる方法として、オフセット印刷法の他に、スクリーン印刷法等を用いることができる。また、ポリイミド液に針状フィラーを分散させて印刷したが、溶媒はポリイミドに限定されない。上記製造方法によれば、針状フィラー８の長軸を特定の方向に配向させることができ、また、２枚の透光性基板４、６の間隙を針状フィラー８の短径により規定することができる。
【００３５】
＜実施例３＞
図５は、本発明による表示装置１の実施例３を表すブロック図である。同一の部分及び同一の機能を有する部分は同一の符号を付した。
【００３６】
表示装置１は、液晶表示パネル等からなる表示パネル２と、光源１６及び導光板１５からなる面光源と、表示パネル２と導光板１５の間に挿入された視角制御素子１０と、視角制御素子１０に与える電圧を制御する視角制御回路１７と、光源１６の発光強度を制御する輝度制御回路１８と、表示パネル２、視角制御回路１７及び輝度制御回路１８等の動作を制御するための表示制御回路１９とから構成されている。視角制御素子１０、表示パネル２及び面光源については既に説明したと同様なので、ここでは説明を省略する。
【００３７】
図６は、視角制御素子１０を透過する透過光強度の視角依存性を表している。横軸が９時３時方向の視角を表し、縦軸が透過光強度を表しており、いずれも任意単位である。図６における実線のグラフＩｘ、Ｉｙは図４（ｂ）と同じである。即ち、グラフＩｘは液晶層９に電界を印加しない電界無印加時、グラフＩｙは電界印加時の透過光強度をそれぞれ表している。ここで、垂直方向（図６の横軸の中心点）に着目して、電界印加時の透過光強度は電界無印加時の透過光強度よりも高くなっている。これは、電界無印加時は入射した光が液晶層９によって斜め方向に散乱されるので垂直方向の透過光強度が低下し、電界印加時は斜め方向に散乱され難いので垂直方向の透過光強度が相対的に高くなるためである。そこで、視角制御回路１７に視角制御信号を与えて視角を制御する際に、同時に輝度制御回路１８に輝度制御信号を与えて光源１６の発光強度も制御する。そして、視角制御素子１０により透過光２１の視角範囲を切り替える際に、例えば、垂直方向の透過光強度が一定の値をとるように光源１６の発光強度も制御する。
【００３８】
具体的に説明する。表示制御回路１９は視角制御回路１７に視角制御信号を与える。視角制御回路１７は視角制御素子１０に電圧を印加して視角制御素子１０をオン状態にする。また、表示制御回路１９は上記視角制御信号に同期して、輝度制御回路１８に輝度制御信号を与える。輝度制御回路１８は、この輝度制御信号に基づいて光源１６に供給する電力を所定量に絞り、光源１６の発光強度を低下させる。このときの透過光強度が図６に示すグラフＩｙ’となる。その結果、垂直方向の透過光強度は視角制御素子１０をオン、オフして切り替えても変化せず、表示の視認性が向上すると共に、狭視角状態における視角の狭い方向が特定方向のみであるために、この状態においても表示を容易に視認することができる。
【００３９】
また、図６グラフＩｘ’は、視角制御回路１７により視角制御素子１０をオフして９時３時方向の視角範囲を広くしたときに、輝度制御回路１８から光源１６に与える供給電力を上昇させて発光強度を強くしたときの、透過率強度の視角特性を表している。その結果、上記と同様に、垂直方向の透過光強度は視角制御素子１０を切り替えても変化しない。このように、視角制御素子１０の視角制御に応じて光源１６の発光強度を調整することにより、表示パネル２に表示された文字、画像等の視認性を向上させることができる。なお、上記例においては、視角制御素子１０のオン、オフにかかわらず透過光強度が変化しない方向を垂直方向としたが、これに限定されない。一定の透過光強度となる視角を例えば６時方向の角度１０°に設定する、或いは２０°に設定する等、適宜設定することができる。
【００４０】
以上説明した表示装置１を、携帯電話、電子ブック、パーソナルコンピュータ、デジタルカメラ等の表示手段として用いることができる。表示された情報を周囲に対しては隠蔽し、操作者には視認性の優れた携帯機器を提供することができる。
【図面の簡単な説明】
【００４１】
【図１】本発明による表示装置の斜視図である。
【図２】本発明による表示装置の模式的断面図である。
【図３】本発明による表示装置の模式的断面図である。
【図４】本発明による表示装置の透過光視角特性を示すグラフである。
【図５】本発明による表示装置の模式的断面図である。
【図６】本発明による表示装置の透過光視角特性を示すグラフである。
【図７】従来公知の液晶表示装置の断面図である。
【図８】従来公知の液晶表示装置の断面図である。
【図９】従来公知の液晶表示装置の透過光氏獲得性を示すグラフである。
【符号の説明】
【００４２】
１  表示装置
２  表示パネル
３  面光源
４、６  透光性基板
５、７  透光性電極
８  針状フィラー
９  液晶層
１０  視角制御素子
１１  電源
１２  液晶分子
１３  小滴
１４  透光性固体物質
１５  導光板
１６  光源
【図１】
2008203446.tif 000003
【図２】
2008203446.tif 000004
【図３】
2008203446.tif 000005
【図４】
2008203446.tif 000006
【図５】
2008203446.tif 000007
【図６】
2008203446.tif 000008
【図７】
2008203446.tif 000009
【図８】
2008203446.tif 000010
【図９】
2008203446.tif 000011